(57)【要約】      （修正有）【課題】温調マットの構成や建物の構造等を実質的に従来のものから変更することなく、簡易な手法にて、室の床の熱媒体循環流路敷設率を高めることが可能な温調床を提供する。【解決手段】建物の室の床下地Ｆ上に設置された、熱媒体が循環される熱媒体循環流路を有した温調マット１と、該温調マット１に接続された、該熱媒体循環流路に熱媒体源から熱媒体を送給するための往き側主配管と、該温調マット１に接続された、該熱媒体循環流路から熱媒体源に熱媒体を返送するための戻り側主配管と、該温調マット１を覆うように床下地Ｆ上に敷設された床表面材とを備えた温調床において、該戻り側主配管の一部３ａが該温調マット１の周囲の床下地Ｆ上に引き回され、該床表面材によって覆われている。【選択図】図１
2015025641.tif 000002
【特許請求の範囲】
【請求項１】
建物の室の床下地上に設置された、熱媒体が循環される熱媒体循環流路を有した温調マットと、
該温調マットに接続された、該熱媒体循環流路に熱媒体源から熱媒体を送給するための往き側主配管と、
該温調マットに接続された、該熱媒体循環流路から熱媒体源に熱媒体を返送するための戻り側主配管と、
該温調マットを覆うように床下地上に敷設された床表面材と
を備えた温調床において、
該戻り側主配管の一部が該温調マットの周囲の床下地上に引き回され、該床表面材によって覆われていることを特徴とする温調床。
【請求項２】
請求項１において、前記戻り側主配管の一部は、前記温調マットの周囲を周回するように引き回されていることを特徴とする温調床。
【請求項３】
請求項１又は２において、前記温調マットの周囲の床下地上に、上面に配管収容用の溝が設けられたガイド基板が配置されており、
前記戻り側主配管の一部は、該溝に収容されるようにして床下地上を引き回されていることを特徴とする温調床。
【請求項４】
請求項１ないし３のいずれか１項において、前記床下地のうち、前記戻り側主配管の一部が引き回された領域の面積は、該温調マットの上面の総面積の５〜６５％であることを特徴とする温調床。
【請求項５】
請求項１ないし４のいずれか１項において、前記温調マットは、
複数枚の基板と、
該基板間に配設された複数本の小根太と、
各基板に引き回された、前記熱媒体循環流路を構成する副配管と、
該小根太を挟んで隣り合う基板同士を連結した連結部と
を有しており、
該連結部は、該小根太の長手方向の端部を回り込むようにして該基板同士を連結しており、少なくとも一部の該連結部が該温調マットの外周に臨んでおり、
該副配管は、該連結部を通って該基板同士に連続して引き回されており、
前記戻り側主配管の一部は、該連結部に沿って引き回されていることを特徴とする温調床。
【請求項６】
請求項１ないし５のいずれか１項において、前記熱媒体は温水であり、前記熱媒体源は潜熱回収型給湯器であることを特徴とする温調床。
【発明の詳細な説明】
【技術分野】
【０００１】
本発明は、建物の室の床下地上に、熱媒体が循環される熱媒体循環流路を有した温調マットが設置され、該温調マットを覆うように床下地上に床表面材が敷設されており、該温調マットに接続された往き側主配管及び戻り側主配管を介して該熱媒体循環流路に熱媒体源から熱媒体が循環される温調床に関する。
【背景技術】
【０００２】
上面に、温水循環流路として温水配管が引き回された温水床暖房マットを床に設置し、この温水配管に往き側主配管及び戻り側主配管を介して給湯器から温水を循環させることにより床を暖房する暖房床が周知である（例えば特許文献１）。
【０００３】
近年、省エネルギーの観点から、このような暖房床を室に設ける場合、この室の床の総面積に対する、温水配管が引き回された領域の面積の割合（温水循環流路敷設率）をなるべく高くすることが望まれている。
【先行技術文献】
【特許文献】
【０００４】
【特許文献１】特開２００８−２８０８２９号公報
【発明の概要】
【発明が解決しようとする課題】
【０００５】
室の床の温水循環流路敷設率を高くする方法として、床暖房マットを大型化することや、室の床の形状や大きさ等を床暖房マットに合わせて設計することが考えられるが、床暖房マットの構成や建物の構造等を従来のものから変更する必要があるため、床暖房マットや建物の設計・施工にかかる手間が増加したり、コストが増大したりすることが懸念される。
【０００６】
本発明は、温調マットの構成や建物の構造等を実質的に従来のものから変更することなく、簡易な手法にて、室の床の熱媒体循環流路敷設率を高めることが可能な温調床を提供することを目的とする。
【課題を解決するための手段】
【０００７】
本発明（請求項１）の温調床は、建物の室の床下地上に設置された、熱媒体が循環される熱媒体循環流路を有した温調マットと、該温調マットに接続された、該熱媒体循環流路に熱媒体源から熱媒体を送給するための往き側主配管と、該温調マットに接続された、該熱媒体循環流路から熱媒体源に熱媒体を返送するための戻り側主配管と、該温調マットを覆うように床下地上に敷設された床表面材とを備えた温調床において、該戻り側主配管の一部が該温調マットの周囲の床下地上に引き回され、該床表面材によって覆われていることを特徴とするものである。
【０００８】
請求項２の温調床は、請求項１において、前記戻り側主配管の一部は、前記温調マットの周囲を周回するように引き回されていることを特徴とするものである。
【０００９】
請求項３の温調床は、請求項１又は２において、前記温調マットの周囲の床下地上に、上面に配管収容用の溝が設けられたガイド基板が配置されており、前記戻り側主配管の一部は、該溝に収容されるようにして床下地上を引き回されていることを特徴とするものである。
【００１０】
請求項４の温調床は、請求項１ないし３のいずれか１項において、前記床下地のうち、前記戻り側主配管の一部が引き回された領域の面積は、該温調マットの上面の総面積の５〜６５％であることを特徴とするものである。
【００１１】
請求項５の温調床は、請求項１ないし４のいずれか１項において、前記温調マットは、複数枚の基板と、該基板間に配設された複数本の小根太と、各基板に引き回された、前記熱媒体循環流路を構成する副配管と、該小根太を挟んで隣り合う基板同士を連結した連結部とを有しており、該連結部は、該小根太の長手方向の端部を回り込むようにして該基板同士を連結しており、少なくとも一部の該連結部が該温調マットの外周に臨んでおり、該副配管は、該連結部を通って該基板同士に連続して引き回されており、前記戻り側主配管の一部は、該連結部に沿って引き回されていることを特徴とするものである。
【００１２】
請求項６の温調床は、請求項１ないし５のいずれか１項において、前記熱媒体は温水であり、前記熱媒体源は潜熱回収型給湯器であることを特徴とするものである。
【発明の効果】
【００１３】
本発明（請求項１）の温調床にあっては、温調マットの周囲の床下地上に、該温調マットに接続された戻り側主配管の一部（以下、戻り側主配管の室内引き回し部ということがある。）が引き回されており、この戻り側主配管の室内引き回し部も床表面材によって覆われている。そのため、室の床面のうち、温調マットの直上領域だけでなく、その周囲領域も、この戻り側主配管の室内引き回し部によって温調される。即ち、この戻り側主配管の室内引き回し部も、実質的に、床面を温調する熱媒体循環流路として作用する。従って、この温調床にあっては、温調マットのみを床下地上に設置した温調床に比べて、戻り側主配管の室内引き回し部の分だけ、実質的に室の床の熱媒体循環流路敷設率が高いものとなる。これにより、温調マットの構成や建物の構造等を実質的に従来のものから変更することなく、簡易な手法にて、室の床の熱媒体循環流路敷設率を高めることができる。
【００１４】
なお、本発明において、建物の室とは、居室だけでなく廊下等も含む。本発明において、温調マットと戻り側主配管の室内引き回し部とは、同一の室内の床下地上に配置される。
【００１５】
請求項２の通り、戻り側主配管の室内引き回し部を、温調マットの周囲を周回するように引き回すことにより、床面のうち、温調マットの周囲領域をこの戻り側主配管の室内引き回し部によって略均等に温調することができる。
【００１６】
請求項３の通り、温調マットの周囲の床下地上に、上面に配管収容用の溝が設けられたガイド基板を配設し、戻り側主配管の室内引き回し部をこの溝に収容するようにして引き回すことにより、戻り側主配管の室内引き回し部を容易に且つ精度よく所定の配管ルートにて温調マットの周囲に引き回すことができると共に、床上荷重によって戻り側主配管の室内引き回し部が変形したりずれたりすることをより確実に防止することができる。
【００１７】
請求項４の通り、床下地のうち、温調マットの上面の総面積の５〜６５％特に好ましくは５〜４０％とりわけ好ましくは１０〜３０％に相当する領域に戻り側主配管の室内引き回し部を引き回すことにより、室の床の熱媒体循環流路敷設率を十分に高めることができる。
【００１８】
請求項５の態様にあっては、温調マットは、小根太の長手方向の一端側又は他端側を回り込むようにして基板同士を連結する連結部が形成され、少なくとも一部の連結部が温調マットの外周に臨んだものとなっている。即ち、この温調マットにあっては、少なくとも一部の連結部と温調マットの外周との間に小小根太が設けられていない。このように外周側に小小根太が設けられていない温調マットに対しては、戻り側主配管の室内引き回し部をより温調マットの外周に近接させて引き回すことができる。これにより、温調マットと戻り側主配管の室内引き回し部との間に、床面温度がこれらの直上領域と過度に異なる領域が生じることをより確実に防止することができる。また、一般的に、戻り側主配管の室内引き回し部を流れる熱媒体は、温調マットを循環した後のものであるため、温調マットを循環中の熱媒体と温度差があるが、この戻り側主配管の室内引き回し部を、温調マットの副配管が通る連結部に沿って引き回すことにより、床面のうち、戻り側主配管の室内引き回し部の直上領域がこの連結部の副配管からの熱によっても温調されやすくなるため、温調マットの直上領域と戻り側主配管の室内引き回し部の直上領域との床面温度差を一層緩和することができる。
【００１９】
本願請求項６の通り、温調マットに循環される熱媒体が温水であり、熱媒体源が潜熱回収型給湯器である場合、この潜熱回収型給湯器は、戻り側の温水の温度が低いほど、この温水を再加熱する際の加熱効率が高くなる（例えば特開２００６−２８４１４１号公報を参照のこと）。本発明の温調マットにあっては、温水が温調マットを循環後、戻り側主配管の室内引き回し部を流れてから給湯器に戻るため、温水が温調マットのみを流れて給湯器に戻ってくる場合に比べて、給湯器に戻って来た温水の温度が低くなる。従って、本発明の温調マットによれば、潜熱回収型給湯器による温水の加熱効率を向上させることが可能となる。
【図面の簡単な説明】
【００２０】
【図１】実施の形態に係る温調床の平面図である。
【図２】図１のII部分の拡大図である。
【図３】図２のIII−III線に沿う断面図である。
【図４】図３のIV−IV線に沿う断面図である。
【図５】図１のＶ部分の拡大図である。
【図６】図５のVI部分の分解斜視図である。
【図７】図１のVII−VII線に沿う断面図である。
【図８】図７と同様部分の分解断面図である。
【図９】図９（ａ）は図１の温調床におけるヘッダ部ガイド基板の平面図、図９（ｂ）は図９（ａ）のIXＢ−IXＢ線に沿う断面図、図９（ｃ）は図９（ａ）のIXＣ−IXＣ線に沿う断面図である。
【図１０】図１０（ａ）は図１の温調床における直線部ガイド基板の平面図、図１０（ｂ）は図１０（ａ）のＸＢ−ＸＢ線に沿う断面図である。
【図１１】図１１（ａ）は図１の温調床におけるコーナー部ガイド基板の平面図、図１１（ｂ）は図１１（ａ）のXIＢ−XIＢ線に沿う断面図である。
【図１２】図１２（ａ）は図１の温調床における折り返し部ガイド基板の平面図、図１２（ｂ）は図１２（ａ）のXIIＢ−XIIＢ線に沿う断面図である。
【図１３】図１の温調床におけるフローリング材の設置方法を示す平面図である。
【発明を実施するための形態】
【００２１】
以下、図面を参照して実施の形態について説明する。以下の実施の形態は、温水を用いて床を暖房する暖房床への本発明の適用例を示している。なお、以下の実施の形態は本発明の一例であり、本発明は以下の実施の形態以外の形態をもとりうる。本発明は、温水暖房床以外の温調床にも適用可能である。
【００２２】
第１，２図の通り、この暖房床は、建物の室の床下地Ｆ上に設置された、熱媒体として温水が循環される熱媒体循環流路としての温水循環流路（後述の温水配管１２）を有した温調マットとしての床暖房マット１と、この床暖房マット１に接続された、該温水循環流路に熱媒体源としての給湯器（図示略）から温水を送給するための往き側主配管２と、この床暖房マット１に接続された、該温水循環流路から温水を給湯器に返送するための戻り側主配管３と、この床暖房マット１を覆うように床下地Ｆ上に敷設された床表面材としてのフローリング材４（第１３図）等を備えている。本発明では、戻り側主配管３の一部（後述の室内引き回し部３ａ）が床暖房マット１の周囲の床下地Ｆ上に引き回されている。この戻り側主配管３の一部が引き回された領域（後述のガイド基板３０，４０，５０，６０）と床下地Ｆの外周との間の該床下地Ｆ上には、床暖房マット１と略同厚みのダミー材５が設置されている。フローリング材４は、これらの床暖房マット１、戻り側主配管３の一部が引き回された領域及びダミー材５の上面に跨って床面全体を覆うように配材されている。なお、第１３図では、便宜上、代表的な１枚のフローリング材４のみが図示されている。
【００２３】
この実施の形態では、給湯器として、潜熱回収型給湯器が用いられている。
【００２４】
この実施の形態では、第１図の通り、床下地Ｆは略長方形状となっている。以下、便宜上、第１図における上下方向（＝床下地Ｆの短辺方向）を縦方向又は奥行き方向といい、特に第１図における上側を奥側といい、第１図における下側を手前側という。また、第１図における左右方向（＝床下地Ｆの長辺方向）を横方向又は左右方向という。
【００２５】
この床下地Ｆ上に、室の床面積の半分よりも小面積の略長方形状の２枚の床暖房マット１，１が設置されている。これらの床暖房マット１，１は、各々の外周の４辺を床下地Ｆの外周の４辺とそれぞれ略平行として左右方向に並べて配置されている。各床暖房マット１の奥行き方向の幅は、床下地Ｆの奥行き方向の幅よりも小さなものとなっており、各床暖房マット１は、床下地Ｆの外周の奥側及び手前側の各辺からそれぞれ該床下地Ｆの奥行き方向の中間側に離隔して配置されている。また、各床暖房マット１の左右方向の幅は、床下地Ｆの左右方向の幅の半分よりも小さなものとなっており、各床暖房マット１は、床下地Ｆの外周の左辺及び右辺からそれぞれ該床下地Ｆの左右方向中間側に離隔して配置されている。
【００２６】
床暖房マット１，１同士の間には、奥行き方向に延在した角棒状の中間小根太Ｋ１が設置されており、各床暖房マット１は、各々の対向辺（左側の床暖房マット１の右辺及び右側の床暖房マット１の左辺）をこの中間小根太Ｋ１に突き合わせるようにして配置されている。各床暖房マット１の中間小根太Ｋ１と反対側にも、それぞれ、奥行き方向に延在した角棒状のサイド小根太Ｋ２，Ｋ３が設置されており、各床暖房マット１の該対向辺と反対側の辺（左側の床暖房マット１の左辺及び右側の床暖房マット１の右辺）がそれぞれこのサイド小根太Ｋ２，Ｋ３に突き合わされている。中間小根太Ｋ１及び両サイド小根太Ｋ２，Ｋ３の長さは、各床暖房マット１の奥行き方向の幅と略同等となっており、これらの中間小根太Ｋ１及び両サイド小根太Ｋ２，Ｋ３は、各々の長手方向の両端側をそれぞれ各床暖房マット１の奥側及び手前側の両外辺に揃えて配置されている。両サイド小根太Ｋ２，Ｋ３も、床下地Ｆの外周の左辺及び右辺からそれぞれ該床下地Ｆの左右方向中間側に離隔して配置されている。
【００２７】
この実施の形態では、第１，７，８図の通り、各床暖房マット１は、略長方形の薄板状の複数枚の基板１０と、該基板１０，１０間に配材された角棒状の複数本の小根太２０と、各基板の上面に形成された複数条の配管収容用溝１１と、この配管収容用溝１１に収容されて各基板１０の上面に引き回された複数本の副配管としての温水配管１２と、該温水配管１２と接するように溝１１の内面から各基板１０の上面にかけて配設された均熱板１３と、該温水配管１２及び均熱板１３を覆うように各基板１０の上面に付着された均熱シート１４等を備えている。この温水配管１２が各床暖房マット１の温水循環流路を構成する。
【００２８】
この実施の形態では、基板１０は、その長側辺方向の長さ（以下、単に長さという。）が床暖房マット１の奥行き方向の幅よりも小さいものとなっており、床暖房マット１の奥行き方向の途中部Ｓ（第１図）よりも奥側及び手前側において、それぞれ、基板１０が同数枚ずつ、各々の長側辺方向を奥行き方向として左右方向に配列されている。以下、床暖房マット１の該途中部Ｓよりも奥側の部分及び手前側の部分をそれぞれ奥側マット部分及び手前側マット部分ということがある。奥側マット部分に配列された各基板１０と、手前側マット部分に配列された各基板１０とは、各々の途中部Ｓ側の短側辺同士を該途中部Ｓで突き合わせるようにして互いに隣接している。なお、この実施の形態では、各基板１０の長さは、実質的に床暖房マット１の奥行き方向の幅の半分となっているが、奥側マット部分に配設された基板１０の長さＷ１（第１図）と、手前側マット部分に配設された基板１０の長さＷ２（第１図）とが異なっていてもよい。
【００２９】
この実施の形態では、小根太２０の長さは、各基板１０の長さよりも短いものとなっている。床暖房マット１の奥側マット部分及び手前側マット部分において、それぞれ、小根太２０が同数本ずつ、各々の長手方向を奥行き方向とし、左右方向に所定の間隔をおいて配列されて基板１０，１０間に介在している。奥側マット部分及び手前側マット部分の左右両端にはそれぞれ基板１０が配置されている。各小根太２０の左右の基板１０，１０同士は、各々の長側辺を該小根太２０に突き合わせるようにして該小根太２０に隣接している。この実施の形態では、奥側及び手前側の各マット部分において、これらの小根太２０は、最も左側に配置されたものから順に、各々の長手方向の一端側を各マット部分の奥側の辺と手前側の辺とに交互に揃えて配列されている。なお、各小根太２０の配置はこれに限定されない。
【００３０】
奥側及び手前側の各マット部分において、それぞれ、左右方向に隣り合う基板１０，１０同士は、各小根太２０の長手方向の他端側を回り込むように形成された連結部１０ａによって連結されている。この実施の形態では、奥側マット部分において最も左側に配置された小根太２０’は、他の小根太２０よりも長さが短いものとなっており、この小根太２０’の手前側を回り込む連結部１０ａ’のさらに手前側に副小根太２１が配設されている。副小根太２１は、その手前側の端部を途中部Ｓに揃えて配置されている。また、手前側マット部分において最も左側に配置された小根太２０’’も、他の小根太２０よりも長さが短いものとなっており、この小根太２０’’の手前側を回り込む連結部１０ａ’’のさらに手前側に副小根太２２が配設されている。副小根太２２の手前側の端部は、手前側マット部分の手前側の外辺から奥側に離隔しており、副小根太２２の手前側には、さらに、この副小根太２２の両側の基板１０，１０同士を連結した連結部１０ａ’’’が形成されている。なお、連結部１０ａ，１０ａ’，１０ａ’’，１０ａ’’’の配置はこれに限定されない。
【００３１】
この床暖房マット１にあっては、奥側マット部分において各小根太２０の奥側の端部を回り込むように形成された連結部１０ａは、床暖房マット１の奥側の外辺に臨んでいる。即ち、これらの連結部１０ａと床暖房マット１の奥側の外辺との間には、小小根太は存在しない。また、手前側マット部分において各小根太２０及び副小根太２２の手前側の端部を回り込むように形成された連結部１０ａ，１０ａ’’’は、床暖房マット１の手前側の外辺に臨んでいる。即ち、これらの連結部１０ａ，１０ａ’’’と床暖房マット１の手前側の外辺との間にも、小小根太は存在しない。
【００３２】
この実施の形態では、各基板１０の上面に、それぞれ奥行き方向に延在した４条の配管収容用溝１１が形成されている。詳しい図示は省略するが、手前側マット部分の左端側の基板１０を除き、左右方向に隣り合う基板１０，１０同士の間では、それらを連結した連結部１０ａ，１０ａ’を介して各基板１０の配管収容用溝１１同士が連続している。また、この実施の形態では、手前側マット部分の左端側の基板１０と奥側マット部分の左端側の基板１０との間において、これらの基板１０，１０の配管収容溝１１同士が途中部Ｓを横切って連通している。
【００３３】
第１，２図の通り、この実施の形態では、手前側マット部分の左端側の基板１０の手前側の短側辺を略長方形状に切り欠くようにしてヘッダ設置部１ａが形成されており、このヘッダ設置部１ａ内にヘッダ１５が設置されている。このヘッダ設置部１ａは、床暖房マット１の手前側に向かって開放している。手前側マット部分の左端側の基板１０の各配管収容用溝１１の手前側は、それぞれ、このヘッダ設置部１ａの左側に回り込み、ヘッダ設置部１ａの左方から端部が該ヘッダ設置部１ａに連通している。また、手前側マット部分の左端側から２枚目の基板１０の各配管収容溝１１の手前側は、それぞれ、連結部１０ａ’’，１０ａ’’’を通って手前側マット部分の左端側の基板１０まで延在し、ヘッダ設置部１ａの右方から端部が該ヘッダ設置部１ａに連通している。
【００３４】
この実施の形態では、床暖房マット１の全体に、各配管収容用溝１１に沿って４本の温水配管１２が引き回され、各温水配管１２の両端側がそれぞれヘッダ設置部１ａに臨んでいる。このうち２本の温水配管１２は、手前側マット部分の左端側の基板１０から途中部Ｓを横切って奥側マット部分の左端側の基板１０に引き回され、連結部１０ａ’，１０ａを介して奥側マット部分の全ての基板１０を巡回するように引き回された後、奥側マット部分の左端側の基板１０から途中部Ｓを横切って手前側マット部分の左端側の基板１０に戻るように引き回されている。他の２本の温水配管１２は、手前側マット部分の左端側の基板１０から連結部１０ａ’’，１０ａ’’’，１０ａを介して手前側マット部分の残りの基板１０を巡回するように引き回された後、連結部１０ａ’’，１０ａ’’’を介して該手前側マット部分の左端側の基板１０に戻るように引き回されている。なお、温水配管１２の配管ルートはこれに限定されない。また、床暖房マット１の全体に引き回される温水配管１２の本数は３本以下又は５本以上であってもよい。
【００３５】
この床暖房マット１にあっては、これらの連結部１０ａ，１０ａ’，１０ａ’’，１０ａ’’’は、温水配管１２が引き回されているため、フローリング材４を敷設する際に該フローリング材４を固定するための釘４ｃが打ち込まれない釘打ち禁止部となっている。
【００３６】
この実施の形態では、ヘッダ１５は、その本体部１５ａからそれぞれ床暖房マット１の手前側（ヘッダ設置部１ａの開放口側）に突設された往き側主配管接続口１５ｂ及び戻り側主配管接続口１５ｃと、本体部１５ａ内において往き側主配管接続口１５ｂに連通しており、本体部１５ａからそれぞれ左方又は右方へ突設された４個の往き側温水配管接続口１５ｄと、本体部１５ａ内において戻り側主配管接続口１５ｃに連通しており、本体部１５ａからそれぞれ左方又は右方へ突設された４個の戻り側温水配管接続口１５ｅとを備えている。この往き側主配管接続口１５ｂに往き側主配管２が接続され、戻り側主配管接続口１５ｃに戻り側主配管３が接続されている。各温水配管１２の一端側は往き側温水配管接続口１５ｄにそれぞれ接続され、各温水配管１２の他端側は戻り側温水配管接続口１５ｅにそれぞれ接続されている。この実施の形態では、本体部１５ａの手前側面の左半側に往き側主配管接続口１５ｂが配設され、右半側に戻り側主配管接続口１５ｃが配設されている。なお、各接続口１５ｂ〜１５ｅの配置はこれに限定されない。
【００３７】
第７，８図に示すように、この実施の形態では、各基板１０の厚さは、温水配管１２の外径よりも大きなものとなっている。温水配管１２は、第７，８図の通り、略円形の断面形状となっている。この温水配管１２の外径は、通常、４〜１３ｍｍ、特に６〜７ｍｍであることが好ましい。通常、この温水配管１２としては、一般に流通している規格品が用いられる。各基板１０の厚さは、後述の戻り側主配管３の室内引き回し部３ａの外径と略同等かそれよりも大きなものとされることが好ましい。通常、この室内引き回し部３ａは、温水配管１２よりも大径の配管により構成される。通常、この室内引き回し部３ａを構成する配管も、一般に流通している規格品が用いられる。通常、室内引き回し部３ａの外径は４〜１６ｍｍ、特に８〜１３ｍｍであることが好ましい。各基板１０の厚さは、通常、５〜２０ｍｍ、特に９〜１４ｍｍであることが好ましい。とりわけ、各基板１０の厚さは、通常、室内引き回し部３ａの外径＋０．５〜５ｍｍ、特に室内引き回し部３ａの外径＋１〜２ｍｍであることが好ましい。
【００３８】
なお、本発明においては、各基板１０は、その下面に配管収容用溝１１が露呈する肉薄のものであってもよい。
【００３９】
この実施の形態では、床暖房マット１は、一般的に流通している規格品であり、外周の４辺の長さがそれぞれ実質的に３０３ｍｍの整数倍となっている。即ち、この規格品の床暖房マット１においては、各基板１０の長さＷ１，Ｗ２は、実質的に３０３ｍｍの整数倍となっている。また、隣り合う小根太２０，２０同士の軸心間距離Ｗ０（第１３図）は、実質的に３０３ｍｍとされている。各小根太２０の太さは、一般的に４５ｍｍ程度とされ、各基板１０の短手方向の幅は２５８ｍｍ程度とされる。各基板１０には、２〜１６条特に４〜８条の配管収容用溝１１が設けられることが好ましい。基板１０のうち、各配管収容用溝１１が直線状に延在した部分においては、隣り合う配管収容用溝１１，１１同士の間隔（軸心間距離）は１５〜２２８ｍｍ特に２６〜７５ｍｍ程度であることが好ましい。各連結部１０ａの奥行き方向の幅ｔ１（第１３図）は、後述の各ガイド基板３０，４０，５０，６０の幅ｔ２と共に後述の関係式４〜１１を満たすように設定されることが好ましい。より具体的には、各連結部１０ａの幅ｔ１は５０〜１５０ｍｍ、特に６０〜９０ｍｍ程度であることが好ましい。副小根太２１の長さは、第１図における連結部１０ａ’の奥行き方向の中間地点から途中部Ｓまでの距離から該連結部１０ａ’の奥行き方向の幅の１／２を引いた長さであることが好ましい。副小根太２２の長さは、連結部１０ａ’’’の該副小根太２２と反対側の縁部（床暖房マット１の手前側の外辺）から連結部１０ａ’’の奥行き方向の中間地点までの距離から、該連結部１０ａ’’’の奥行き方向の幅と、連結部１０ａ’’の奥行き方向の幅の１／２とを引いた長さであることが好ましい。連結部１０ａ’，１０ａ’’，１０ａ’’’の奥行き方向の幅は５０〜１５０ｍｍ特に６０〜９０ｍｍ程度であることが好ましく、特に他の（即ち副小根太２１，２２に隣接しない）連結部１０ａの幅ｔ１と実質的に同等であることが好ましい。
【００４０】
各床暖房マット１が第１図の通り床下地Ｆ上に設置された場合、左側の床暖房マット１の右端側の各基板１０が中間小根太Ｋ１に突き合わされ、左端側の各基板１０が左側のサイド小根太Ｋ２に突き合わされる。また、右側の床暖房マット１の左端側の各基板１０が中間小根太Ｋ１に突き合わされ、右端側の各基板１０が右側のサイド小根太Ｋ３に突き合わされる。これらの中間小根太Ｋ１及びサイド小根太Ｋ２，Ｋ３の太さも、一般的に、各小根太２０の太さと同等の４５ｍｍ程度である。この状態において、中間小根太Ｋ１と、左側の床暖房マット１において最も右側に位置する小根太２０との軸心間距離、並びに、中間小根太Ｋ１と、右側の床暖房マット１において最も左側に位置する小根太２０との軸心間距離も、それぞれ、実質的に３０３ｍｍ（各床暖房マット１において隣り合う小根太２０，２０同士の軸心間距離Ｗ０と同等）となっている。また、左側のサイド小根太Ｋ２と、左側の床暖房マット１において最も左側に位置する小根太２０との軸心間距離、並びに、右側のサイド小根太Ｋ３と、右側の床暖房マット１において最も右側に位置する小根太２０との軸心間距離も、実質的に３０３ｍｍとなる。
【００４１】
この実施の形態では、第１図の通り、各床暖房マット１の周囲の床下地Ｆ上にガイド基板３０，４０，５０，６０が設置され、これらのガイド基板３０，４０，５０，６０上に戻り側主配管３の一部が引き回されている。この実施の形態では、各床暖房マット１のヘッダ設置部１ａにそれぞれヘッダ部ガイド基板３０が配置されている。また、各床暖房マット１の手前側及び奥側の各外辺、並びに、各サイド小根太Ｋ２，Ｋ３の床暖房マット１と反対側の側辺に沿って、それぞれ、直線部ガイド基板４０が配置されている。また、各床暖房マット１の手前側及び奥側の各外辺と各サイド小根太Ｋ２，Ｋ３の床暖房マット１と反対側の側辺とが交わるコーナー部（以下、床暖房マット１のコーナー部と略すことがある。）に、それぞれ、コーナー部ガイド基板５０が配置されている。また、各床暖房マット１の手前側及び奥側の各外辺に沿って設置された各直線部ガイド基板４０の該コーナー部側と反対側に、それぞれ、折り返し部ガイド基板６０が配置されている。これらのガイド基板３０，４０，５０，６０の厚さは、床暖房マット１の厚さと実質的に同等となっている。
【００４２】
ヘッダ部ガイド基板３０は、第２，９図の通り、ヘッダ設置部１ａ内（ヘッダ１５よりも手前側）に嵌合した略長方形状の嵌合部３１と、該嵌合部３１の手前側から床暖房マット１の手前側の外辺に沿うように左方及び右方にそれぞれ張り出した略長方形状の張出部３２，３３とを有する略Ｔ字形の平面視形状となっている。ヘッダ部ガイド基板３０の上面には、それぞれ嵌合部３１の奥側から手前側に向かって延在した１対の縦ガイド溝３４ａ，３４ｂと、張出部３２，３３を左右方向に横切るように延在した１対の横ガイド溝３５ａ，３５ｂとが設けられている。各縦ガイド溝３４ａ，３４ｂの奥側の端部は、嵌合部３１の奥側の端面に臨んでいる。左側の縦ガイド溝３４ａの手前側は、該手前側ほど左方となるように湾曲して滑らかに奥側の横ガイド溝３５ａに合流しており、右側の縦ガイド溝３４ｂの手前側は、該手前側ほど右方となるように湾曲して滑らかに奥側の横ガイド溝３５ａに合流している。左側のガイド溝３４ａの延在方向の途中部には、ヘッダ部ガイド基板３０を上下方向に貫通した往き側主配管挿通孔３６が設けられている。また、奥側の横ガイド溝３５ａの延在方向の中間付近には、ヘッダ部ガイド基板３０を上下方向に貫通した戻り側主配管挿通孔３７が設けられている。
【００４３】
直線部ガイド基板４０は、第２，１０図の通り、略長方形の帯板状のものであり、その上面には、その長手方向に延在した１対の直線溝４１ａ，４１ｂが設けられている。各直線溝４１ａ，４１ｂの両端側は、直線部ガイド基板４０の長手方向の両端側の端面にそれぞれ臨んでいる。直線部ガイド基板４０は、この直線部ガイド基板４０が隣接する床暖房マット１の外辺又はサイド小根太Ｋ２，Ｋ３の床暖房マット１と反対側の側辺と略平行に直線溝４１ａ，４１ｂが延在するように設置される。以下、便宜上、これらの直線溝４１ａ，４１ｂのうち、直線部ガイド基板４０が床暖房マット１の外辺又はサイド小根太Ｋ２，Ｋ３の床暖房マット１と反対側の側辺に沿って配置された状態において、該床暖房マット１に近い方を直線溝４１ａとし、該床暖房マット１から遠い方を直線溝４１ｂとする。この実施の形態では、床暖房マット１の外辺に沿って配置された直線部ガイド基板４０と、サイド小根太Ｋ２，Ｋ３の床暖房マット１と反対側の側辺に沿って配置された直線部ガイド基板４０とは、元々は同一長さの共通品であり、配置位置に応じて適宜カットされ、長さが調整されたものとなっている。
【００４４】
コーナー部ガイド基板５０は、第２，１１図の通り、互いに略直交方向に延在した横延在部５１と縦延在部５２とを有し、該横延在部５１と縦延在部５２との延在方向の一端側同士が連なった略Ｌ字形の平面視形状となっている。コーナー部ガイド基板５０が床暖房マット１のコーナー部に配置された状態において、横延在部５１は、該床暖房マット１の手前側又は奥側の外辺に沿って左右方向に延在し、縦延在部５２は、サイド小根太Ｋ２，Ｋ３の床暖房マット１と反対側の側辺に沿って奥行き方向に延在する。このコーナー部ガイド基板５０の上面には、横延在部５１の延在方向の他端側から縦延在部５２の延在方向の他端側にかけて延在した１対の略円弧状のコーナー溝５３ａ，５３ｂが設けられている。各コーナー溝５３ａ，５３ｂの横延在部５１側の端部は、それぞれ、横延在部５１の該他端側の端面に臨んでおり、各コーナー溝５３ａ，５３ｂの縦延在部５２側の端部は、それぞれ、縦延在部５２の該他端側の端面に臨んでいる。この実施の形態では、床暖房マット１の各コーナー部にそれぞれ配置されたコーナー部ガイド基板５０は、いずれも同一構成の共通品となっている。
【００４５】
折り返し部ガイド基板６０は、第５，１２図の通り、略長方形の帯板状のものであり、その上面には、その長手方向の一端側から他端側に向かって延在した１対の直線溝６１ａ，６１ｂと、該直線溝６１ａ，６１ｂの該他端側同士を繋いだ繋ぎ溝６２とを有している。各直線溝６１ａ，６１ｂの該一端側は、折り返し部ガイド基板６０の該一端側の端面に臨んでいる。繋ぎ溝６２は、該他端側に凸に湾曲した円弧状となっている。折り返し部ガイド基板６０は、この折り返し部ガイド基板６０が隣接する床暖房マット１の外辺と略平行に直線溝６１ａ，６１ｂが延在するように設置される。以下、便宜上、これらの直線溝６１ａ，６１ｂのうち、折り返し部ガイド基板６０が床暖房マット１の外辺に沿って配置された状態において、該床暖房マット１に近い方を直線溝６１ａとし、該床暖房マット１から遠い方を直線溝６１ｂとする。この実施の形態では、各直線部ガイド基板４０のコーナー部側と反対側にそれぞれ配置された折り返し部ガイド基板６０は、いずれも同一構成の共通品となっている。
【００４６】
この実施の形態では、第９〜１２図の通り、各ガイド基板３０，４０，５０，６０のうち、床暖房マット１の外辺に沿う部分の該外辺と直交方向の幅、又は、サイド小根太Ｋ２，Ｋ３の床暖房マット１と反対側の側辺に沿う部分の該側辺と直交方向の幅（即ちヘッダ部ガイド基板３０の張出部３２，３３の奥行き方向の幅、直線部ガイド基板４０の短手方向（直線溝４１ａ，４１ｂの延在方向と直交方向）の幅、コーナー部ガイド基板５０の横延在部５１の奥行き方向の幅、コーナー部ガイド基板５０の縦延在部５２の左右方向の幅、及び、折り返し部ガイド基板６０の短手方向（６１ａ，６１ｂの延在方向と直交方向）の幅）は、実質的に全て同等の幅ｔ２となっている。この幅ｔ２は、前述の各連結部１０ａ，１０ａ’，１０ａ’’，１０ａ’’’（以下、これらを総称して各連結部１０ａということがある。）の幅ｔ１と共に後述の関係式４〜１１を満たすように設定されることが好ましい。より具体的には、この幅ｔ２は５０〜１５０ｍｍ、特に６０〜９０ｍｍ程度であることが好ましく、特に各連結部１０ａの幅ｔ１と実質的に同等であることが好ましい。
【００４７】
この実施の形態では、第２〜４図の通り、往き側主配管２及び戻り側主配管３は、それぞれ、給湯器から床下地Ｆの下側を引き回され、該床下地Ｆに穿設された孔７，８並びにヘッダ部ガイド基板３０の往き側主配管挿通孔３６及び戻り側主配管挿通孔３７を介して室内に引き回され、ヘッダ１５の往き側主配管接続口１５ｂ及び戻り側主配管接続口１５ｃに接続されている。第３，４図の通り、往き側主配管２及び戻り側主配管３のうち、孔７，８，３６，３７を介して室内に引き回された部分（以下、室内引き回し部という。）２ａ，３ａは、それぞれ、外径及び内径が温水配管１２よりも大径となっており、給湯器から孔７，８までの間の床下地Ｆの下側を引き回された部分（以下、床下引き回し部という。）２ｂ，３ｂは、それぞれ、外径及び内径が該室内引き回し部２ａ，３ａよりも大きなものとなっている。この実施の形態では、これらの室内引き回し部２ａ，３ａとして、温水配管１２よりも径の大きい規格品の温水配管を用い、床下引き回し部２ｂ，３ｂとして、それよりもさらに径の大きい規格品の温水配管を用い、これらをそれぞれ継手２ｃ，３ｃにより連結している。往き側主配管２及び戻り側主配管３をこのように構成することにより、各床暖房マット１、各ガイド基板３０，４０，５０，６０及びダミー材５の厚さを比較的小さく抑えつつ、温水の圧力損失を効果的に低減することができる。通常、室内引き回し部２ａ，３ａの内径は、３〜１５ｍｍ、特に７〜１２ｍｍであることが好ましく、とりわけ温水配管１２の内径＋３〜１２ｍｍ、特に温水配管１２の内径＋５〜６ｍｍであることが好ましい。また、通常、床下引き回し部２ｂ，３ｂの内径は、６〜１８ｍｍ、特に１０〜１５ｍｍであることが好ましく、とりわけ室内引き回し部２ａ，３ａの内径＋３〜１５ｍｍ、特に室内引き回し部２ａ，３ａの内径＋７〜１２ｍｍであることが好ましい。なお、圧力損失を十分に低くすることができる場合には、室内引き回し部２ａ，３ａを温水配管１２と同径の規格品の温水配管により構成してもよい。
【００４８】
この実施の形態では、左側の床暖房マット１に接続された戻り側主配管３の室内引き回し部３ａは、戻り側主配管挿通孔３７から室内に引き回された後、ヘッダ部ガイド基板３０の奥側の横ガイド溝３５ａに沿って左方に引き回され、張出部３２の左方の横向きの直線部ガイド基板４０の奥側の直線溝４１ａ、その左方のコーナー部ガイド基板５０の内周側のコーナー溝５３ａ、その奥側の縦向きの直線部ガイド基板４０の右側の直線溝４１ａ、その奥側のコーナー部ガイド基板５０の内周側のコーナー溝５３ａ、その右方の横向きの直線部ガイド基板４０の手前側の直線溝４１ａ、及び、その右方の折り返し部ガイド基板６０の手前側の直線溝６１ａに沿って左側の床暖房マット１の奥側の外辺の右端付近まで引き回された後、該折り返し部ガイド基板６０の繋ぎ溝６２に沿って折り返され、該折り返し部ガイド基板６０の奥側の直線溝６１ｂ、その左方の横向きの直線部ガイド基板４０の奥側の直線溝４１ｂ、その左方のコーナー部ガイド基板５０の外周側のコーナー溝５３ｂ、その手前側の縦向きの直線部ガイド基板４０の左側の直線溝４１ｂ、その手前側のコーナー部ガイド基板５０の外周側のコーナー溝５３ｂ、その左方の横向きの直線部ガイド基板４０の手前側の直線溝４１ｂ、その右方のヘッダ部ガイド基板３０の手前側の横ガイド溝３５ｂ、その右方の横向きの直線部ガイド基板４０の手前側の直線溝４１ｂ、及び、その右方の折り返し部ガイド基板６０の手前側の直線溝６１ｂに沿って左側の床暖房マット１の手前側の外辺の右端付近まで引き回され、その後、該折り返し部ガイド基板６０の繋ぎ溝６２に沿って折り返され、該折り返し部ガイド基板６０の奥側の直線溝６１ａ、その左方の横向きの直線部ガイド基板４０の奥側の直線溝４１ａ、その左方のヘッダ部ガイド基板３０の奥側の横ガイド溝３５ａ、及び、該横ガイド溝３５ａに連なる右側の縦ガイド溝３４ｂに沿ってヘッダ設置部１ａまで引き回され、その先端がヘッダ１５の戻り側主配管接続口１５ｃに接続されている。
【００４９】
この実施の形態では、右側の床暖房マット１に接続される戻り側主配管３の室内引き回し部３ａは、戻り側主配管挿通孔３７から室内に引き回された後、ヘッダ部ガイド基板３０の奥側の横ガイド溝３５ａに沿って左方に引き回され、張出部３２の左方の横向きの直線部ガイド基板４０の奥側の直線溝４１ａ、その左方の折り返し部ガイド基板６０の奥側の直線溝６１ａに沿って左側の床暖房マット１の右手前側の基板１０の該手前側まで引き回された後、該折り返し部ガイド基板６０の繋ぎ溝６２に沿って折り返され、該折り返し部ガイド基板６０の手前側の直線溝６１ｂ、その右方の直線部ガイド基板４０の手前側の直線溝４１ｂ、その右方のヘッダ部ガイド基板３０の手前側の横ガイド溝３５ｂ、その右方の横向きの直線部ガイド基板４０の手前側の直線溝４１ｂ、その右方のコーナー部ガイド基板５０の外周側のコーナー溝５３ｂ、その奥側の縦向きの直線部ガイド基板４０の右側の直線溝４１ｂ、その奥側のコーナー部ガイド基板５０の外周側のコーナー溝５３ｂ、その左方の横向きの直線部ガイド基板４０の奥側の直線溝４１ｂ、及び、その左方の折り返し部ガイド基板６０の奥側の直線溝６１ｂに沿って右側の床暖房マット１の奥側の外辺の左端付近まで引き回された後、該折り返し部ガイド基板６０の繋ぎ溝６２に沿って折り返され、該折り返し部ガイド基板６０の手前側の直線溝６１ａ、その右方の直線部ガイド基板４０の手前側の直線溝４１ａ、その右方のコーナー部ガイド基板５０の内周側のコーナー溝５３ａ、その手前側の縦向きの直線部ガイド基板４０の左側の直線溝４１ａ、その手前側のコーナー部ガイド基板５０の内周側のコーナー溝５３ａ、その左方の横向きの直線部ガイド基板４０の奥側の直線溝４１ａ、その左方のヘッダ部ガイド基板３０の奥側の横ガイド溝３５ａ、及び、該横ガイド溝３５ａに連なる右側の縦ガイド溝３４ｂに沿ってヘッダ設置部１ａまで引き回され、その先端がヘッダ１５の戻り側主配管接続口１５ｃに接続されている。
【００５０】
この実施の形態では、戻り側主配管３の室内引き回し部３ａのうち、折り返し部ガイド基板６０の繋ぎ溝６２に沿う折り返し部分は、第６図の通り、予め該繋ぎ溝６２に沿うようにＵ字状に曲成されたＵ字管３ｄにより構成されている。室内引き回し部３ａのうち、この折り返し部分よりも上流側及び下流側の端部をＵ字管３ｄの両端側に接続し、これらを折り返し部ガイド基板６０の各直線溝６１ａ，６１ｂ及び繋ぎ溝６２に収容する。これにより、室内引き回し部３ａがこの折り返し部分で座屈することをより確実に防止することができる。なお、繋ぎ溝６２の曲率半径を十分に大きく確保することができる場合には、Ｕ字管３ｄを省略し、室内引き回し部３ａをこの折り返し部分よりも上流側から下流側まで連続した配管により構成し、室内引き回し部３ａを折り返し部ガイド基板６０に引き回す際に繋ぎ溝６２に沿って湾曲させるようにしてもよい。
【００５１】
この実施の形態では、左右いずれの床暖房マット１においても、往き側主配管２の室内引き回し部２ａは、往き側主配管挿通孔３６から室内に引き回された後、ヘッダ部ガイド基板３０の左側の縦ガイド溝３４ａに沿ってヘッダ設置部１ａまで引き回され、その先端がヘッダ１５の往き側主配管接続口１５ｂに接続されている。
【００５２】
なお、往き側主配管２及び戻り側主配管３の室内引き回し部２ａ，３ａの配管ルートはこれに限定されない。
【００５３】
各床暖房マット１の周囲に引き回される戻り側主配管３の室内引き回し部３ａの長さは、この室内引き回し部３ａの分だけ増加する室の床の温水循環流路敷設率の増加量、及び、温水がこの室内引き回し部３ａを流れる間に低下する該温水の温度を考慮して決定されることが好ましい。具体的には、床暖房マット１，１のみを床下地Ｆ上に設置した場合に比べて、この室内引き回し部３ａにより室の床の温水循環流路敷設率が１〜４０％特に１０〜３０％増加することが好ましい。また、温水が床暖房マット１，１のみを流れて給湯器に戻ってくる場合に比べて、給湯器に戻って来た温水の温度が１〜１０℃特に３〜７℃低くなることが好ましい。床下地Ｆのうち、この室内引き回し部３ａが引き回された領域の面積は、温調マットの上面の総面積の５〜６５％特に５〜４０％とりわけ１０〜３０％であることが好ましい。
【００５４】
なお、各ガイド基板３０，４０，５０，６０においても、床暖房マット１と同様に、室内引き回し部３ａと接するように配管収容用の溝３４ａ，３４ｂ，３５ａ，３５ｂ，４１ａ，４１ｂ，５３ａ，５３ｂ，６１ａ，６１ｂ，６２の内面から各基板３０，４０，５０，６０の上面にかけて均熱板を設けてもよく、さらに、これらの室内引き回し部３ａ及び均熱板を覆うように均熱シートが各基板３０，４０，５０，６０の上面に付着されてもよい。
【００５５】
この暖房床にあっては、これらのガイド基板３０，４０，５０，６０も、その上面に往き側主配管２及び戻り側主配管３の室内引き回し部２ａ，３ａが引き回されているため、フローリング材４を敷設する際に該フローリング材４を固定するための釘４ａが打ち込まれない釘打ち禁止部となっている。
【００５６】
この実施の形態では、これらのガイド基板３０，４０，５０，６０と床下地Ｆの外周との間の該床下地Ｆの上面を埋めるように、ダミー材５が配設されている。
【００５７】
この実施の形態では、フローリング材４も、規格品の長方形板状のものである。この規格品のフローリング材４においては、通常、その短手方向の幅Ｗ３（第１３図）は３０３ｍｍであり、長手方向の幅は、この短手方向の幅Ｗ３の整数倍（例えば１８１８ｍｍ）である。フローリング材４には、第１３図に示すように、その一長側辺と一短辺とに沿って、側方へ張り出す雄実４ａが延設されており、残りの長側辺と短辺とに沿って、この雄実４ａが係合可能な雌実４ｂが延設されている。上記の幅Ｗ３は、この雄実４ａを除いた寸法である。
【００５８】
隣り合う小根太２０，２０同士の軸心間距離Ｗ０とフローリング材１の短手方向の幅Ｗ３とは、以下の関係式１を満たし、床暖房マット１の基板１０の長さＷ１，Ｗ２とフローリング材１の短手方向の幅Ｗ３とは、以下の関係式２，３を満たす。  
関係式１：Ｗ０＝Ｗ３
関係式２：Ｗ１＝ｎ・Ｗ３        （ｎは１以上の整数）
関係式３：Ｗ２＝ｍ・Ｗ３        （ｍは１以上の整数）
【００５９】
本発明では、床暖房マット１の各連結部１０ａの幅ｔ１及び各ガイド基板３０，４０，５０，６０の幅ｔ２と、フローリング材１の短手幅Ｗ３とが次の関係式４〜７を満たすように構成されていることが好ましい。  
関係式４：ｔ１＋ｔ２＜ｘ・Ｗ３        （０＜ｘ＜１）  
関係式５：（１−ｘ）・Ｗ３≧１０ｍｍ  
関係式６：２ｔ１＜ｙ・Ｗ３        （０＜ｙ＜１）  
関係式７：（１−ｙ）・Ｗ３≧１０ｍｍ  
床暖房マット１及びフローリング材４が規格品の場合、特に以下の関係式８，９、とりわけ以下の関係式１０，１１を満たすように構成されていることが好ましい。  
関係式８：７５ｍｍ≦（１−ｘ）・Ｗ３≦２５０ｍｍ
関係式９：７５ｍｍ≦（１−ｙ）・Ｗ３≦２５０ｍｍ
関係式１０：ｔ１＋ｔ２＜２／３Ｗ３
関係式１１：２ｔ１＜２／３Ｗ３
【００６０】
フローリング材４を敷設するに当たっては、室の奥側又は手前側の辺から順次、ダミー材５、各ガイド基板３０，４０，５０，６０及び各床暖房マット１の上に跨って連続してフローリング材４を配列していく。この際、各フローリング材４を、その長手方向が左右方向となるように配置する。
【００６１】
フローリング材４を各床暖房マット１上に配置する場合には、このフローリング材４が複数の小根太２０（小根太２１，２２、中間小根太Ｋ１及び両サイド小根太Ｋ２，Ｋ３を含む。以下、同様。）に跨るように配置する。この際、第１３図の通り、各フローリング材４の短辺を小根太２０に重ねるようにする。
【００６２】
なお、この実施の形態では、フローリング材４の長手幅は該フローリング材４の短手幅Ｗ３の整数倍となっており、且つ小根太２０，２０同士の軸心間距離Ｗ０はフローリング材４の短手幅Ｗ３と同等となっているので、フローリング材４の一方の短辺を小根太２０に重ねると、このフローリング材４の他方の短辺も別の小根太２０に重なるようになる。
【００６３】
そして、各フローリング材４を釘４ｃで各小根太２０に留め付ける。この際、第１３図のように、各フローリング材４のうち一方の長側辺に沿う雄実４ａ及び一方の短辺に沿う雄実４ａにそれぞれ釘４ｃを打ち込んで、各フローリング材４の上面に釘４ｃが露呈しないようにする。
【００６４】
なお、１枚目のフローリング材４を配置した後、２枚目のフローリング材４を配置する際には、両者の雄実４ａと雌実４ｂとを係合させるようにする。３枚目以降を配置する場合も同様に、隣り合うフローリング材４，４の雄実４ａと雌実４ｂとを係合させる。
【００６５】
フローリング材４を床暖房マット１の手前側及び奥側の各外辺付近に配置する場合には、第１３図の通り、床暖房マット１の該外辺に臨む連結部１０ａと、該外辺に沿って配置されたガイド基板３０，４０，５０，６０（釘打ち禁止部）とを跨ぐようにフローリング材４を配置し、このフローリング材４の一方の長側辺を床暖房マット１の小根太２０上に重ねると共に、他方の長側辺をダミー材５上に重ねる。また、この際、フローリング材４の短辺を床暖房マット１の小根太２０に沿わせ、該短辺の一端側をこの小根太２０上に重ねる。
【００６６】
そして、他のフローリング材４と同様に、このフローリング材４の一方の長側辺に沿う雄実４ａと、一方の短辺に沿う雄実４ａとにそれぞれ釘４ｃを打ち込み、このフローリング材４を床暖房マット１の小根太２０及びダミー材５に釘留めする。
【００６７】
なお、床暖房マット１の手前側及び奥側の各外辺付近においてフローリング材４をこのように配置するために、予め、床下地Ｆの手前側及び奥側の各辺に沿って配置されるフローリング材４の幅を適宜調節（幅詰め）しておく。
【００６８】
この実施の形態では、フローリング材４、各床暖房マット１及び各ガイド基板３０，４０，５０，６０が前述の関係式１〜７を満たすように構成されているので、床暖房マット１の手前側及び奥側のいずれか一方の外辺付近においてフローリング材４を上記のように配置することにより、他方の外辺付近においても、必ず、釘打ち禁止部としての連結部１０ａ及びガイド基板３０，４０，５０，６０にフローリング材４の両方の長側辺が重ならないように、フローリング材４を配材することができる。また、この実施の形態では、各床暖房マット１の奥行き方向の途中部Ｓの手前側及び奥側にも、それぞれ、小小根太を介さずに釘打ち禁止部としての連結部１０ａが配置されているが、床暖房マット１の手前側及び奥側のいずれか一方の外辺付近においてフローリング材４を上記のように配置することにより、必ず、この途中部Ｓの両側の連結部１０ａにもフローリング材４の両方の長側辺が重ならないように、フローリング材４を配材することができる。
【００６９】
また、床暖房マット１の手前側及び奥側の外辺に臨む連結部１０ａとこれに隣接する各ガイド基板３０，４０，５０，６０との合計の幅ｔ１＋ｔ２をフローリング材４の短手幅Ｗ３から引いた残りの幅（１−ｘ）・Ｗ３は１０ｍｍ以上となっているので、該外辺付近においてこれらの連結部１０ａ及びガイド基板３０，４０，５０，６０の双方にフローリング材４の両方の長側辺が重ならないようにフローリング材４を配材しても、このフローリング材４の一方の長側辺に沿う雄実４ａを余裕を持って小根太２０に重ねることができる。また、各床暖房マット１の途中部Ｓの両側の連結部１０ａ，１０ａの合計の幅２ｔ１をフローリング材４の短手幅Ｗ３から引いた残りの幅（１−ｙ）・Ｗ３も１０ｍｍ以上となるので、この途中部Ｓの両側の連結部１０ａ，１０ａにフローリング材４の両方の長側辺が重ならないようにフローリング材４を配材しても、このフローリング材４の一方の長側辺に沿う雄実４ａを余裕を持って小根太２０に重ねることができる。これにより、確実に、この雄実４ａに釘４ｃを打ち込んでフローリング材４を小根太２０に釘留めすることができる。
【００７０】
従って、この実施の形態では、各床暖房マット１の手前側及び奥側の双方の外辺及び途中部Ｓにそれぞれ小小根太を設けなくとも、確実にフローリング材４を小根太２０に釘留めすることができる。
【００７１】
このように構成された暖房床にあっては、床暖房マット１，１の周囲の床下地Ｆ上に、各床暖房マット１に接続された戻り側主配管３の室内引き回し部３ａが引き回されており、この室内引き回し部３ａもフローリング材４によって覆われているので、室の床面のうち、各床暖房マット１の直上領域だけでなく、その周囲領域も、この室内引き回し部３ａによって加温される。即ち、この室内引き回し部３ａも、実質的に、床面を加温する温水循環流路として作用する。従って、この暖房床にあっては、床暖房マット１，１のみを床下地Ｆ上に設置した暖房床に比べて、戻り側主配管３の室内引き回し部３ａの分だけ、実質的に室の床の温水循環流路敷設率が高いものとなる。これにより、床暖房マット１の構成や建物の構造等を従来のものから変更することなく、簡易な手法にて、室の床の温水循環流路敷設率を高めることができる。
【００７２】
この実施の形態では、室内引き回し部３ａは、床暖房マット１，１の周囲を周回するように引き回されているので、室の床面のうち、床暖房マット１，１の周囲領域をこの室内引き回し部３ａによって略均等に加温することができる。
【００７３】
この実施の形態では、床暖房マット１，１の周囲の床下地Ｆ上にガイド基板３０，４０，５０，６０を配設し、室内引き回し部３ａを、これらのガイド基板３０，４０，５０，６０の上面に設けられた配管収容用の溝３４ａ，３４ｂ，３５ａ，３５ｂ，４１ａ，４１ｂ，５３ａ，５３ｂ，６１ａ，６１ｂ，６２に収容するようにして引き回しているので、室内引き回し部３ａを容易に且つ精度よく所定の配管ルートにて床暖房マット１，１の周囲に引き回すことができると共に、床上荷重によって室内引き回し部３ａが変形したりずれたりすることをより確実に防止することができる。
【００７４】
床下地Ｆのうち、床暖房マット１の上面の総面積の５〜６５％特に好ましくは５〜４０％とりわけ好ましくは１０〜３０％に相当する領域に室内引き回し部３ａを引き回すことにより、室の床の温水循環流路敷設率を十分に高めることができる。
【００７５】
この実施の形態では、床暖房マット１は、小根太２０の長手方向の端部を回り込むようにして基板１０，１０同士を連結する連結部１０ａが形成され、この連結部１０ａが該床暖房マット１の奥側及び手前側の両外辺に臨んだものとなっており、この床暖房マット１には、該連結部１０ａと奥側及び手前側の両外辺との間に小小根太が設けられていない。このように外周側に小小根太が設けられていない床暖房マット１に対しては、第１図の通り、室内引き回し部３ａをより床暖房マット１の外周に近接させて引き回すことができる。これにより、床暖房マット１と室内引き回し部３ａとの間に床面温度が低くなる領域が生じることをより確実に防止することができる。また、一般的に、室内引き回し部３ａを流れる温水は、床暖房マット１を循環した後のものであるため、床暖房マット１を循環中の温水と比べて温度が低くなっているが、この室内引き回し部３ａを、温水配管１２が通る連結部１０ａに沿って引き回すことにより、床面のうち、室内引き回し部３ａの直上領域がこの連結部１０ａの温水配管１２からの熱によっても加温されやすくなるため、床暖房マット１の直上領域と室内引き回し部３ａの直上領域との床面温度差を一層緩和することができる。
【００７６】
この実施の形態では、給湯器として潜熱回収型給湯器を用いている。この潜熱回収型給湯器は、戻り側の温水の温度が低いほど、この温水を再加熱する際の加熱効率が高くなる。本発明の床暖房マット１にあっては、温水が床暖房マット１を循環後、室内引き回し部３ａを流れてから給湯器に戻るため、温水が床暖房マット１のみを流れて給湯器に戻ってくる場合に比べて、給湯器に戻って来た温水の温度が低くなる。従って、本発明の床暖房マット１によれば、潜熱回収型給湯器による温水の加熱効率を向上させることが可能となる。
【００７７】
［材質等］
上記各部材の材質の一例として次のものが挙げられるが、これらに限定されるものではない。
【００７８】
床暖房マットを構成する基板の材料としては、例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【００７９】
ガイド基板は、この床暖房マットを構成する基板と同様の材料により構成してもよく、異なる材料により構成してもよい。
【００８０】
小根太の材料としては、木材や、釘打ち可能な合成木材又は合成樹脂が好ましい。
【００８１】
均熱材や均熱シートの材料としては、アルミ又は銅の金属箔が好ましい。
【００８２】
温水配管としては、可撓性のポリエチレン等の合成樹脂チューブや銅パイプが例示される。
【００８３】
往き側主配管及び戻り側主配管も、温水配管と同様の材料により構成することができる。
【００８４】
フローリング材としては、木質材料よりなるものを用いてもよく、天然又は人造石質材料、あるいは合成樹脂等よりなるものを用いてもよい。
【００８５】
ダミー材の材料としては、合板等を用いることができる。
【００８６】
上記の実施の形態は本発明の一例を示すものであり、本発明は図示の構成に限定されない。
【００８７】
例えば、上記の実施の形態では、床下地Ｆ上に２枚の床暖房マット１が設置されているが、床暖房マット１が１枚のみ、あるいは３枚以上設置されてもよい。この実施の形態では、床下地Ｆ上に同一構成の２枚の床暖房マット１が設置されているが、互いに異なる構成の床暖房マットが複数枚設置されてもよい。
【００８８】
上記の実施の形態では、各床暖房マット１において、最も左側に配置された小根太２０から順に、各小根太２０の手前側及び奥側に交互に連結部１０ａが設けられているが、連結部１０ａの配置はこれに限定されない。例えば、隣り合う複数本の小根太２０の手前側又は奥側に連続して連結部１０ａが設けられてもよく、隣り合う複数本の小根太２０の手前側又は奥側に連続して連結部１０ａが設けられていなくてもよい。手前側及び奥側の双方に連結部１０ａが設けられた小根太２０が存在してもよい。全ての小根太２０の手前側及び／又は奥側に連結部１０ａが設けられてもよい。各床暖房マット１において、最も左側に配置された小根太２０以外の小根太２０の長手方向に隣接して副小根太が設けられてもよい。もちろん、連結部１０ａや副小根太２１，２２の配置はこれ以外であってもよい。副小根太２１，２２は設けられなくてもよい。
【００８９】
上記の実施の形態では、各床暖房マット１の手前側の外辺の左端付近にヘッダ設置部１が設けられているが、ヘッダ設置部１ａの配置もこれに限定されない。床下地上に複数枚の床暖房マットが配置される場合、床暖房マットごとにヘッダ設置部の位置が異なっていてもよい。
【００９０】
上記の実施の形態では、給湯器として潜熱回収型給湯器を用いているが、他の型式の給湯器を用いてもよい。
【００９１】
上記の実施の形態では、床表面材としてフローリング材を用いているが、床表面材はこれに限定されない。床表面材は、例えばカーペット等であってもよい。
【００９２】
上記の実施の形態は、温調マットに温水を循環させて暖房する暖房床に関するものであるが、本発明は、温調マットに冷水を循環させて冷房する冷房床にも適用可能である。温調マットに、水以外のオイルや不凍液等の熱媒体を循環させてもよい。
【符号の説明】
【００９３】
１  床暖房マット
２  往き側主配管
２ａ  室内引き回し部
３  戻り側主配管
３ａ  室内引き回し部
４  フローリング材
５  ダミー材
７，８  孔
１０  基板
１０ａ，１０ａ’，１０ａ’’，１０ａ’’’  連結部
１１  配管収容用溝
１２  温水配管
１３  均熱板
１４  均熱シート
１５  ヘッダ
２０，２０’，２０’’  小根太
２１，２２  副小根太
３０  ヘッダ部ガイド基板
３４ａ，３４ｂ  縦ガイド溝
３５ａ，３５ｂ  横ガイド溝
３６  往き側主配管挿通孔
３７  戻り側主配管挿通孔
４０  直線部ガイド基板
４１ａ，４１ｂ  直線溝
５０  コーナー部ガイド溝
５３ａ，５３ｂ  コーナー溝
６０  折り返し部ガイド基板
６１ａ，６１ｂ  直線溝
６２  繋ぎ溝
【図１】
2015025641.tif 000003
【図２】
2015025641.tif 000004
【図３】
2015025641.tif 000005
【図４】
2015025641.tif 000006
【図５】
2015025641.tif 000007
【図６】
2015025641.tif 000008
【図７】
2015025641.tif 000009
【図８】
2015025641.tif 000010
【図９】
2015025641.tif 000011
【図１０】
2015025641.tif 000012
【図１１】
2015025641.tif 000013
【図１２】
2015025641.tif 000014
【図１３】
2015025641.tif 000015